【手続補正書】
【提出日】平成17年10月26日(2005.10.26)
【手続補正１】
【補正対象書類名】明細書
【補正対象項目名】発明の名称
【補正方法】変更
【補正の内容】
【発明の名称】光ピックアップ装置及びその調整方法並びに光ディスク記録及び／又は再生装置
【手続補正２】
【補正対象書類名】明細書
【補正対象項目名】特許請求の範囲
【補正方法】変更
【補正の内容】
【特許請求の範囲】
【請求項１】
光源を含む光学系が配設された鏡筒と、
上記鏡筒が挿通される開口部が形成されたベースと、
上記鏡筒に配設された光源から出射された光ビームを光記録媒体に収束させて照射する対物レンズを有し、上記対物レンズをこの対物レンズの光軸と平行な方向及び上記対物レンズの光軸と直交する方向に駆動変位可能に可能に支持し、上記ベースに取り付けられた対物レンズ駆動機構とを備え、
上記開口部に挿通された上記鏡筒は、この鏡筒の光軸を中心に回転可能に上記ベースに支持されるとともに、上記対物レンズ駆動機構に設けられた押圧支持部によって上記鏡筒の光軸と平行な方向に押圧支持されてなる光ピックアップ装置。
【請求項２】
上記鏡筒には、上記ベースに形成された上記開口部の周縁に係止されるフランジ部が設けられていることを特徴とする請求項１記載の光ピックアップ装置。
【請求項３】
上記鏡筒を押圧支持する上記押圧支持部は、上記ベースに固定される上記対物レンズ駆動機構を構成するヨークと一体に形成されたことを特徴とする請求項１記載の光ピックアップ装置。
【請求項４】
光源を含む光学系が配設された鏡筒と、この鏡筒が挿通される開口部が形成され、上記開口部に挿通された鏡筒がこの鏡筒の光軸を中心に回転可能に支持されるベースと、上記鏡筒に配設された光源から出射された光ビームを光記録媒体に収束させて照射する対物レンズを有し、上記対物レンズをこの対物レンズの光軸と平行な方向及び上記対物レンズの光軸と直交する方向に駆動変位可能に可能に支持し、上記ベースに取り付けられた対物レンズ駆動機構とを備え、
上記鏡筒をこの鏡筒の光軸を中心に回転させ、上記光源から出射され回折格子により分割された光ビームの主ビームが光記録媒体に記録トラック上に位置し上記主ビームの両側に位置する一対の副ビームが上記主ビームを挟んで上記記録トラックの両側に位置するように調整する光ピックアップ装置の調整方法。
【請求項５】 上記鏡筒をこの鏡筒の光軸を中心に回転させ、上記光源から出射され回折格子により分割された光ビームの主ビームが光記録媒体に記録トラック上に位置し上記主ビームの両側に位置する一対の副ビームが上記主ビームを挟んで上記記録トラックの両側に位置するように調整した後、上記対物レンズ駆動機構のベースに対する上記対物レンズの光軸方向の取り付け角度を調整するようにしたことを特徴とする請求項４記載の光ピックアップ装置の調整方法。
【請求項６】
光源を含む光学系が配設された鏡筒と、この鏡筒が挿通される開口部が形成され、上記開口部に挿通された鏡筒がこの鏡筒の光軸を中心に回転可能に支持されるベースと、上記鏡筒に配設された光源から出射された光ビームを光記録媒体に収束させて照射する対物レンズを有し、上記対物レンズをこの対物レンズの光軸と平行な方向及び上記対物レンズの光軸と直交する方向に駆動変位可能に可能に支持し、上記ベースに取り付けられた対物レンズ駆動機構とを備え、
上記鏡筒をこの鏡筒の光軸を中心に回転させ、上記光源から出射され非点較差を有する光ビームの光記録媒体の記録トラックに対する位置を調整するようにした光ピックアップ装置の調整方法。
【請求項７】
上記鏡筒をこの鏡筒の光軸を中心に回転させ、上記光源から出射され光ビームの光記録媒体の記録トラックに対する位置を調整した後、上記対物レンズ駆動機構のベースに対する上記対物レンズの光軸方向の取り付け角度を調整するようにしたことを特徴とする請求項６記載の光ピックアップ装置の調整方法。
【請求項８】
移動ガイド機構に移動可能に支持された光ピックアップ備えた光ディスク記録及び／又は再生装置において、
上述光ピックアップ装置は、
光源を含む光学系が配設された鏡筒と、
上記鏡筒が挿通される開口部が形成されたベースと、
上記鏡筒に配設された光源から出射された光ビームを光記録媒体に収束させて照射する対物レンズを有し、上記対物レンズをこの対物レンズの光軸と平行な方向及び上記対物レンズの光軸と直交する方向に駆動変位可能に可能に支持し、上記ベースに取り付けられた対物レンズ駆動機構とを備え、
上記開口部に挿通された上記鏡筒が、この鏡筒の光軸を中心に回転可能に上記ベースに支持されるとともに、上記対物レンズ駆動機構に設けられた押圧支持部によって上記鏡筒の光軸と平行な方向に押圧支持されている
ことを特徴とする光ディスク記録及び／又は再生装置。
【手続補正３】
【補正対象書類名】明細書
【補正対象項目名】０００１
【補正方法】変更
【補正の内容】
【０００１】
【発明の属する技術分野】
本発明は、光ディスクなどの光記録媒体を記録媒体に用いる光ディスク記録及び／又は再生装置に用いられる光ピックアップ装置及び装置の調整方法に関し、さらには、この光ピックアップ装置を用いた光ディスク記録及び／又は再生装置に関する。
【手続補正４】
【補正対象書類名】明細書
【補正対象項目名】０００８
【補正方法】変更
【補正の内容】
【０００８】
また、光ピックアップ装置の光源に用いられる半導体レーザから出射される光ビームは、楕円形の広がりをもって放射されるため、対物レンズにより収束されて光ディスクに照射されて形成されるビームスポットは、非点較差を生じ楕円形になる。そのため、１本の光ビームを用いてトラッキングエラーの検出を行うプッシュプル法を採用した光ピックアップ装置においても、正確にトラッキングエラーを検出するため、光ビームが記録トラック上に位置するとき、記録トラックを中心にして左右で均等に光ビームが分布する必要がある。
【手続補正５】
【補正対象書類名】明細書
【補正対象項目名】００１５
【補正方法】変更
【補正の内容】
【００１５】
本発明の他の目的は、部品点数の削減を図るとともに、組み立てが容易で調整を容易に行うことができる光ピックアップ装置及びその調整方法並びのこの光ピックアップ装置を用いた光ディスク記録及び／又は再生装置を提供することにある。
【手続補正６】
【補正対象書類名】明細書
【補正対象項目名】００１６
【補正方法】変更
【補正の内容】
【００１６】
【課題を解決するための手段】
上述したような目的を達成するため、本発明に係る光ピックアップ装置は、光源を含む光学系が配設された鏡筒と、この鏡筒が挿通される開口部が形成されたベースと、鏡筒に配設された光源から出射された光ビームを光記録媒体に収束させて照射する対物レンズを有し、対物レンズをこの対物レンズの光軸と平行な方向及び対物レンズの光軸と直交する方向に駆動変位可能に可能に支持してベースに取り付けられた対物レンズ駆動機構とを備え、ベースの開口部に挿通された鏡筒が、この鏡筒の光軸を中心に回転可能にベースに支持されるとともに、対物レンズ駆動機構に設けられた押圧支持部によって鏡筒の光軸と平行な方向に押圧支持されてなるものである。
さらに、本発明は、この光ピックアップ装置を移動ガイド機構に移動可能に支持した光ディスク記録及び／又は再生装置である。
【手続補正７】
【補正対象書類名】明細書
【補正対象項目名】００２０
【補正方法】変更
【補正の内容】
【００２０】
本発明に係る光ピックアップ装置は、図１に示すように、光ディスクを記録媒体に用いるディスク記録及び／又は再生装置に設けられた移動ガイド機構に支持されるベース１を備える。ベース１は、高精度に成形することができるポリフェニレンスルフィド（ＰＰＳ）やポリカーボネイト（ＰＣ）等の合成樹脂を用いて略平板状に形成されている。ベース１の一端側には、図１及び図２に示すように、ディスク記録及び／又は再生装置に設けられる移動ガイド機構を構成する移動ガイド軸１０が挿通されるガイド軸挿通孔２が形成された一対のガイド軸支持片３，４が形成されている。ベース１の他端側には、図１に示すように、ベース１の他端部とともに移動ガイド機構を構成するディスク記録及び／又は再生装置側に設けられる移動ガイド部を支持する略Ｌ字状をなすガイド部支持片５が形成されている。
【手続補正８】
【補正対象書類名】明細書
【補正対象項目名】００４５
【補正方法】変更
【補正の内容】
【００４５】
そして、各副ビームＳ２，Ｓ３から検出される出力波形の位相がπ（１８０°）となるように、鏡筒６をこの鏡筒６内を透過する光ビームの光軸を中心に回動調整する。鏡筒６が回動調整されると、主ビームＳ１とこの主ビームＳ１の両側に位置する副ビームＳ２，Ｓ３の記録トラックＴ１に対する並び方向が主ビームＳ１を中心にして図６中矢印Ｘ１方向に回転される。
【手続補正９】
【補正対象書類名】明細書
【補正対象項目名】００４９
【補正方法】変更
【補正の内容】
【００４９】
上述した例では、鏡筒６を回転操作して光ビームの光ディスク１０１の記録トラックＴに対する照射位置の調整を行う前に、対物レンズ駆動機構１６を構成する対物レンズ支持機構１９をベース１に取り付けられたヨーク１７に固定するようにしているが、対物レンズ支持機構１９を治具を用いて仮固定しておき、光ビームの照射位置の調整を行った後、対物レンズ支持機構１９のベース１に対する対物レンズ１５の光軸方向の取り付け角度、すなわち、対物レンズ１５を介して光ディスクに照射される光ビームが光ディスクの信号記録面に垂直に照射するように調整を行うようにしてよい。この場合には、対物レンズ支持機構１９のベース１に対する対物レンズ１５の光軸方向の取り付け角度の調整を行った後、取付板４７の両側に折り曲げ形成した接合片４８，４８を接着剤を用いてヨーク１７の支持片３０，３１に接合する。このように、対物レンズ支持機構１９のベース１に対する取り付け角度を調整することにより、対物レンズ１５を介して光ディスクに収束される光ビームの正確なフォーカシングを実現できる。